(57)【要約】本発明は、ＵＭＴＳシステムのマルチメディアサービスに関し、ＵＴＲＡＮがＭＢＭＳサービスを提供する場合、ＭＢＭＳ ＲＮＴＩを使用してＵＴＲＡＮと端末間またはＵＴＲＡＮ内のノード間にＭＢＭＳサービス関連情報を交換することにより、ＭＢＭＳデータを受信する使用者グループまたは特定ＭＢＭＳサービスのデータを識別する。具体的には、本発明は、複数の端末にＭＢＭＳ(Multimedia Broadcast/Multicast Service)を提供する無線通信システムにおいて、特定ＭＢＭＳサービスのための識別子を生成する段階と、前記生成された識別子を全てのＭＢＭＳプロトコルデータユニットに含める段階と、前記ＭＢＭＳプロトコルデータユニットを端末に伝送する段階と、から構成されることを特徴とするマルチメディアサービス方法を提供する。
2005530451.tif 000002
【特許請求の範囲】
【請求項１】
複数の端末にＭＢＭＳ(Multimedia Broadcast/Multicast Service)を提供する無線通信システムにおいて、
特定ＭＢＭＳサービスのための識別子を生成する段階と、
前記生成された識別子を全てのＭＢＭＳプロトコルデータユニットに含める段階と、
前記ＭＢＭＳプロトコルデータユニットを端末に伝送する段階と、
から構成されることを特徴とするマルチメディアサービス方法。
【請求項２】
前記識別子は、ＭＢＭＳ無線ネットワーク臨時識別子(ＲＮＴＩ)であることを特徴とする請求項１に記載のマルチメディアサービス方法。
【請求項３】
前記識別子は、無線資源制御(ＲＲＣ)階層で生成されることを特徴とする請求項１に記載のマルチメディアサービス方法。
【請求項４】
前記ＲＲＣ階層は、無線接続ベアラーが設定されるときに識別子を生成し、無線接続ベアラーが解除されるときに識別子を廃棄することを特徴とする請求項３に記載のマルチメディアサービス方法。
【請求項５】
前記識別子は、特定ＭＢＭＳサービスまたはマルチキャストグループを指示することを特徴とする請求項１に記載のマルチメディアサービス方法。
【請求項６】
前記特定ＭＢＭＳサービスは、放送サービスまたはマルチキャストサービスであることを特徴とする請求項４に記載のマルチメディアサービス方法。
【請求項７】
前記識別子は、ＭＢＭＳプロトコルデータユニットのヘッダーに含まれることを特徴とする請求項１に記載のマルチメディアサービス方法。
【請求項８】
前記ＭＢＭＳプロトコルデータユニットは、ＭＡＣプロトコルデータユニットであり、前記ヘッダーは、ＭＡＣプロトコルデータユニットのヘッダーであることを特徴とする請求項７に記載のマルチメディアサービス方法。
【請求項９】
前記ＭＢＭＳプロトコルデータユニットは、識別子の種類を示す指示子であることを特徴とする請求項１に記載のマルチメディアサービス方法。
【請求項１０】
複数の端末から構成された端末グループにＭＢＭＳ(Multimedia Broadcast/Multicast Service)を提供する無線通信システムにおいて、
ＭＢＭＳサービスのための識別子を生成して端末グループに割り当てる段階と、
ＭＢＭＳプロトコルデータユニット(ＰＤＵ)にＭＢＭＳ識別子を含めて端末グループに伝送する段階と、
各端末によって前記伝送されたＭＢＭＳ ＰＤＵに含まれたＭＢＭＳ識別子と前記割り当てられたＭＢＭＳ識別子を比較し、前記ＭＢＭＳ ＰＤＵを受信する段階と、
から構成されることを特徴とするマルチメディアサービス方法。
【請求項１１】
前記ＭＢＭＳ識別子は、ＭＢＭＳ無線ネットワーク臨時識別子(ＲＮＴＩ)であることを特徴とする請求項１０に記載のマルチメディアサービス方法。
【請求項１２】
前記ＭＢＭＳ識別子は、ＵＴＲＡＮの無線資源制御(ＲＲＣ)階層によって生成されることを特徴とする請求項１０に記載のマルチメディアサービス方法。
【請求項１３】
前記ＲＲＣ階層は、無線接続ベアラーが設定されるときに識別子を生成し、無線接続ベアラーが解除されるときに識別子を廃棄することを特徴とする請求項１２に記載のマルチメディアサービス方法。
【請求項１４】
前記ＭＢＭＳ識別子は、ＵＴＲＡＮのＲＲＣ階層によって割り当てられることを特徴とする請求項１０に記載のマルチメディアサービス方法。
【請求項１５】
前記ＭＢＭＳ識別子は、ＲＲＣメッセージを通じて端末グループに割り当てられることを特徴とする請求項１４に記載のマルチメディアサービス方法。
【請求項１６】
前記ＭＢＭＳ識別子は、ＭＢＭＳ ＰＤＵのヘッダーに含まれることを特徴とする請求項１０に記載のマルチメディアサービス方法。
【請求項１７】
前記ＭＢＭＳ ＰＤＵはＭＡＣ ＰＤＵであり、前記ヘッダーはＭＡＣ ＰＤＵのヘッダーであることを特徴とする請求項１６に記載のマルチメディアサービス方法。
【請求項１８】
前記ＭＢＭＳ ＰＤＵは、識別子の種類を示す識別子種類指示子を含むことを特徴とする請求項１０に記載のマルチメディアサービス方法。
【請求項１９】
前記識別子種類指示子は、ＭＢＭＳ ＰＤＵのヘッダーに含まれることを特徴とする請求項１０に記載のマルチメディアサービス方法。
【請求項２０】
前記ＭＢＭＳ ＰＤＵはＭＡＣ ＰＤＵであり、前記ヘッダーはＭＡＣ ＰＤＵのヘッダーであることを特徴とする請求項１９に記載のマルチメディアサービス方法。
【請求項２１】
前記ＭＢＭＳ ＰＤＵの受信段階は、
ＭＢＭＳ識別子がＭＢＭＳ ＰＤＵに含まれているか否かをチェックする段階と、
ＭＢＭＳ識別子がＭＢＭＳ ＰＤＵに含まれていると、ＭＢＭＳ ＰＤＵに含まれたＭＢＭＳ識別子が以前に割り当てられたＭＢＭＳ識別子と同一であるか否かをチェックする段階と、
前記２つの識別子が同一であると、ＭＢＭＳ ＰＤＵからヘッダーを除去する段階と、
ヘッダーが除去されたＭＢＭＳ ＰＤＵを端末の上位階層に伝達する段階と、から構成されることを特徴とする請求項１０に記載のマルチメディアサービス方法。
【請求項２２】
前記端末は、ＭＢＭＳ ＰＤＵの識別子種類指示子がＭＢＭＳ識別子を示すか否かをチェックし、ＭＢＭＳ識別子がＭＢＭＳ ＰＤＵに含まれているか否かをチェックすることを特徴とする請求項２１に記載のマルチメディアサービス方法。
【請求項２３】
前記識別子種類指示子は、ＭＢＭＳ ＰＤＵに含まれた識別子の種類を示すことを特徴とする請求項２２に記載のマルチメディアサービス方法。
【請求項２４】
前記端末は、前記２つの識別子が同一でない場合、前記受信されたＭＢＭＳ ＰＤＵを廃棄することを特徴とする請求項２１に記載のマルチメディアサービス方法。
【請求項２５】
前記受信されたＭＢＭＳ ＰＤＵにフィードバック情報を構成する段階と、
各端末によってＭＢＭＳ識別子をＭＢＭＳ ＰＤＵのフィードバック情報に含めてＵＴＲＡＮに伝送する段階と、をさらに含むことを特徴とする請求項２１に記載の特徴とするマルチメディアサービス方法。
【請求項２６】
複数の端末から構成された端末グループにＭＢＭＳ(Multimedia Broadcast/Multicast Service)を提供するＵＭＴＳ(universal mobile telecommunication system)において、
複数の物理チャネル情報を端末グループに伝送する段階と、
ＭＢＭＳデータを受信する端末にＭＢＭＳ識別子を割り当てる段階と、
複数の物理チャネル情報からＭＢＭＳ識別子が指示する特定物理チャネルの情報を獲得し、前記ＭＢＭＳデータを受信する段階と、
から構成されることを特徴とするマルチメディアサービス方法。
【請求項２７】
前記ＭＢＭＳ識別子は、ＭＢＭＳ無線ネットワーク臨時識別子(ＲＮＴＩ)であることを特徴とする請求項２６に記載のマルチメディアサービス方法。
【請求項２８】
前記ＭＢＭＳ識別子は、複数の物理チャネル情報に含まれた特定物理チャネルの番号を指示することによって特定物理チャネルを示すことを特徴とする請求項２６に記載のマルチメディアサービス方法。
【請求項２９】
前記物理チャネルは、ＭＢＭＳデータを伝送するＳ−ＣＣＰＣＨ(Secondary common control physical channel)であることを特徴とする請求項２６に記載のマルチメディアサービス方法。
【請求項３０】
前記物理チャネルの情報は、ＭＢＭＳデータを伝送する複数チャネルのリストと、及び物理チャネルのチャネルコード、スクランブリングコード、伝送されるデータの大きさ、データが伝送される時間間隔、チャネルコーディング、及び該当物理チャネルにマッピングされる伝送チャネル及び論理チャネルの種類を示すパラメーターとであることを特徴とする請求項２６に記載のマルチメディアサービス方法。
【請求項３１】
前記ＭＢＭＳデータの受信段階は、
複数の物理チャネル情報に含まれた複数の物理チャネル中からＭＢＭＳ識別子によって指示された特定物理チャネル情報を選択する段階と、
複数の物理チャネル情報から前記選択された物理チャネルの情報を獲得する段階と、
各端末によって前記選択された物理チャネルを設定する段階と、
前記選択された物理チャネルを通じてＭＢＭＳデータを受信する段階と、
から構成されたることを特徴とする請求項２６に記載のマルチメディアサービス方法。
【発明の詳細な説明】
【技術分野】
【０００１】
本発明は、ＵＭＴＳ(Universal Mobile Telecommunications System)のＭＢＭＳ(Multimedia Broadcast/Multicast Service)サービスに関し、特に、無線ネットワーク臨時識別子(Radio Network Temporary Identifier: ＲＮＴＩ)を使用してＭＢＭＳサービスを提供するマルチメディアサービス方法に関する。 
【背景技術】
【０００２】
ＵＭＴＳは、ヨーロッパ式標準であるＧＳＭ(Global System for Mobile Communications)システムから進化した第３世代移動通信システムで、ＧＳＭ核心ネットワーク(Core Network)及びＷＣＤＭＡ(Wideband Code Division Multiple Access)技術に基づいて、より向上した移動通信サービスの提供を目標とする。
【０００３】
図１は、一般的なＵＭＴＳシステムのネットワーク構造を示す。
【０００４】
図１に示すように、ＵＭＴＳシステムは、端末、ＵＴＲＡＮ及び核心ネットワークからなっている。ＵＴＲＡＮは、１つ以上の無線ネットワークサブシステム(Radio Network Sub-systems: ＲＮＳ)から構成され、各ＲＮＳは、１つの無線ネットワーク制御器(Radio Network Controller: ＲＮＣ)と、該ＲＮＣによって管理される１つ以上のＮｏｄｅ Ｂ(基地局)から構成される。
【０００５】
Ｎｏｄｅ Ｂは、ＲＮＣによって管理され、上向リンクを通じて端末の物理階層から伝送された情報を受信し、下方リンクを通じて端末にデータを伝送し、端末に対するＵＴＲＡＮの接続点(Access Point)の役割を担当する。また、ＲＮＣは、無線資源の割り当て及び管理を担当し、核心ネットワーク間の接続点の役割を担当する。
【０００６】
ＵＴＲＡＮの主な機能は、端末と核心ネットワーク間の通話のために、無線接続 ベアラー(Radio Access Bearer: ＲＡＢ)を構成して維持することである。核心ネットワークは、終端間のサービス品質(Quality of Service: ＱｏＳ)要求事項をＲＡＢに適用し、該当ＲＡＢは、核心ネットワークが設定したＱｏＳ要求事項を支援する。
【０００７】
従って、ＲＡＢを構成して維持することにより、ＵＴＲＡＮは、終端間のＱｏＳ要求事項を充足させることができる。前記ＲＡＢサービスは、さらに下位概念のＩｕ ＢｅａｒｅｒサービスとＲａｄｉｏ Ｂｅａｒｅｒサービスに分けることができる。ここで、Ｉｕ Ｂｅａｒｅｒサービスは、ＵＴＲＡＮと核心ネットワーク境界ノードとの間で使用者データの信頼性のある伝送を担当し、Ｒａｄｉｏ Ｂｅａｒｅｒサービスは、端末とＵＴＲＡＮ間で使用者データの信頼性のある伝送を担当する。
【０００８】
図２は、３ＧＰＰ無線接続ネットワーク規格を基盤にした端末とＵＴＲＡＮ間の無線プロトコルの構造である。前記無線プロトコルは、水平的に、物理階層、データリンク階層及びネットワーク階層からなり、垂直的には、データ情報伝送のための使用者平面(User Plane)と制御信号伝達のための制御平面(Control plane)とに区分される。前記使用者平面は、音声及びＩＰパケットなどのような使用者のトラフィック情報が伝達される領域で、前記制御平面は、ネットワークのインターフェース、呼の維持及び管理などの制御情報が伝達される領域である。
【０００９】
図２で、プロトコル階層は、通信システムにおいて広く知られた開放型システム間相互接続(open system interface: ＯＳＩ)基準モデルの下位３つ階層に基づいて、Ｌ１(第１階層)、Ｌ２(第２階層)、Ｌ３(第３階層)に区分されることができる。
【００１０】
Ｌ１階層(ＰＨＹ)は、多様な無線伝送技術を利用して上位階層に情報伝送サービス(Information transfer service)を提供する。前記Ｌ１階層は、伝送チャネル(Transport channel)を通じて上位の媒体接続制御(Medium access control: ＭＡＣ)階層と接続され、伝送チャネルを通じてＭＡＣ階層と物理階層間のデータが移動する。
【００１１】
ＭＡＣ階層は、無線資源の割り当て及び再割り当てのためのＭＡＣパラメーターの割り当てサービスを提供し、論理チャネル(Logical channel)を通じて上位の無線リンク制御(Radio link control)階層と連結される。前記ＭＡＣには、伝送される情報の種類によって多様な論理チャネルが提供されるが、一般的に制御平面の情報を伝送する場合は制御チャネル(Control channel)を利用し、使用者平面の情報を伝送する場合はトラフィック チャネル(Traffic channel)を利用する。前記ＭＡＣは、管理する伝送チャネルの種類によって、ＭＡＣ−ｂサブ階層(Sublayer)、ＭＡＣ−ｄサブ階層、ＭＡＣ−ｃ／ｓｈサブ階層に区分できる。前記ＭＡＣ−ｂサブ階層は、システム情報の放送を担当する伝送チャネルのＢＣＨ(Broadcast channel)を管理し、ＭＡＣ−ｃ／ｓｈサブ階層は、複数(multiple)の端末と共通するＦＡＣＨ(Forward access channel)またはＤＳＣＨ(Downlink shared channel)の共通または共有伝送チャネルを管理する。
【００１２】
ＵＴＲＡＮにおいて、ＭＡＣ−ｃ／ｓｈサブ階層はＣＲＮＣ(Control RNC)に位置する。ＭＡＣ−ｃ／ｓｈサブ階層は、セル内の全ての端末が共通するチャネルを管理するので、各セルに対して１つずつ存在する。また、各端末にも１つずつのＭＡＣ−ｃ／ｓｈサブ階層が存在する。ＭＡＣ−ｄサブ階層は、特定端末に対する専用伝送チャネルであるＤＣＨ(Dedicated channel)の管理を担当する。従って、ＵＴＲＡＮのＭＡＣ−ｄサブ階層は、該当端末を管理するＳＲＮＣ(Serving RNC)に位置し、各端末にも１つずつののＭＡＣ−ｄサブ階層が存在する。
【００１３】
無線リンク制御(Radio link control: ＲＬＣ)階層は、信頼性のあるデータの伝送を支援し、上位階層から伝達されたＲＬＣサービスデータ単位(Service data unit: ＳＤＵ)の分割及び連結(Segmentation and concatenation)機能を遂行することができる。上位階層から伝達されたＲＬＣ ＳＤＵは、ＲＬＣ階層において処理容量に合わせて大きさが調節された後、ヘッダー(header)情報が加わってプロトコルデータ単位(Protocol data unit: ＰＤＵ)の形態にＭＡＣ階層に伝達される。ＲＬＣ階層には上位階層から伝達されたＲＬＣ ＳＤＵまたはＲＬＣ ＰＤＵを貯蔵するためのＲＬＣバッファーが存在する。
【００１４】
放送／マルチキャスト制御(Broadcast/multicast control: ＢＭＣ)階層は、核心ネットワークから伝達されたセル放送メッセージ(Cell broadcast message : ＣＢ)をスケジュールリングし、特定セルに位置したＵＥにＣＢを放送する機能を遂行する。ＵＴＲＡＮ側から見ると、上位階層から伝達されたＣＢメッセージは、メッセージＩＤ、一連番号(serial number)、コーディング技法(coding scheme)などの情報が加わってＢＭＣメッセージの形態にＲＬＣ階層に伝達され、論理チャネルであるＣＴＣＨ(Common traffic channel)を通じてＭＡＣ階層に伝達される。この場合、論理チャネル(ＣＴＣＨ)は、伝送チャネルであるＦＡＣＨ(Forward access channel)及び物理チャネルであるＳ−ＣＣＰＣＨ(Secondary common control physical channel)にマッピングされる。
【００１５】
パケットデータコンバージェンスプロトコル(Packet data convergence protocol: ＰＤＣＰ)階層は、ＲＬＣ階層の上位に位置し、ＩＰｖ４またはＩＰｖ６のようなネットワークプロトコルを通じて伝送されるデータが相対的に小さい帯域幅を有する無線インターフェース上で効率的に伝送できるようにする。このために、ＰＤＣＰ階層は、不必要な制御情報を低減する機能を遂行するが、この機能をヘッダー圧縮(Header compression)と呼び、ＩＥＴＦ(Internet engineering task force)というインターネット標準化グループで定義するヘッダー圧縮機法であるＲＦＣ２５０７及びＲＦＣ３０９５(Robust header compression: ＲＯＨＣ)を使用することができる。これら方法は、データのヘッダー部分が必ず必要な情報のみを伝送するようにすることで、より少ない制御情報が伝送されるので、伝送されるデータ量を低減することができる。
【００１６】
Ｌ３の最下部に位置した無線資源制御(Radio Resource Control: ＲＲＣ)階層は、制御平面でのみ定義され、無線ベアラー(Radio Bearer: ＲＢ)の設定、再設定及び解除と関連して伝送チャネル及び物理チャネルを制御する。このとき、前記ＲＢは、端末とＵＴＲＡＮ間のデータ伝達のために第２階層によって提供されるサービスを意味し、一般的にＲＢが設定されるということは、特定サービスを提供するために必要なプロトコル階層及びチャネルの特性を規定し、それぞれの具体的なパラメーター及び動作方法を設定する過程を意味する。
【００１７】
以下、放送／マルチキャストサービス(Multimedia Broadcast/Multicast Service: ＭＢＭＳ)に対して説明する。
【００１８】
ＭＢＭＳは、単方向点対多運送者サービス(Point-to-Multipoint Bearer Service)を利用して、オーディオ、ビデオ及び映像などのマルチメディアデータを複数の端末に伝達するサービスである。ＵＴＲＡＮは、無線ネットワークの効率を高めるためにＦＡＣＨまたはＤＳＣＨのような下向共通伝送チャネル(Common transport channel)を通じてＭＢＭＳデータを伝送する。
【００１９】
ＭＢＭＳは、放送モードとマルチキャストモードに分けられる。即ち、ＭＢＭＳサービスは、ＭＢＭＳ放送サービスとＭＢＭＳマルチキャストサービスに分けられる。
【００２０】
ＭＢＭＳ放送モードは、放送地域(Broadcast area)にある全ての使用者にマルチメディアデータを伝送するサービスである。このとき、放送地域とは、放送サービスが可能な領域である。１つのＰＬＭＮ内には１つ以上の放送地域が存在することができ、１つの放送地域で１つ以上の放送サービスが提供されることができ、また１つの放送サービスが色々な放送地域に提供されることもできる。
【００２１】
ＭＢＭＳマルチキャストモードは、マルチキャスト地域(Multicast area)にある特定使用者グループにのみマルチメディアデータを伝送するサービスである。このとき、マルチキャスト地域とは、マルチキャストサービスが可能な領域である。１つのＰＬＭＮ内には１つ以上のマルチキャスト地域が存在することができ、１つのマルチキャスト地域に１つ以上のマルチキャストサービスが提供されることができる。また、１つのマルチキャストサービスが色々なマルチキャスト地域に提供されることもできる。
【００２２】
ＭＢＭＳマルチキャストモードで、使用者は、特定マルチキャストサービスを受信するためにマルチキャストグループ(Multicast group)に参加(Joining)することが要求される。このとき、マルチキャストグループとは、特定マルチキャストサービスを受信する使用者集団であり、参加とは、特定マルチキャストサービスを受信しようと集まったマルチキャストグループに合流する行為である。
【００２３】
以下、無線ネットワーク臨時識別子(Radio Network Temporary Identifier: ＲＮＴＩ)に対して説明する。
【００２４】
ＲＮＴＩは、端末とＵＴＲＡＮ間に接続が維持される間、端末の識別情報として使用される。このために、Ｓ−ＲＮＴＩ、Ｄ−ＲＮＴＩ、Ｃ−ＲＮＴＩ、Ｕ-ＲＮＴＩの４種類のＲＮＴＩが定義されて使用される。
【００２５】
Ｓ−ＲＮＴＩ(Serving RNC RNTI)は、ＳＲＮＣが該当端末を識別し得る情報であり、端末とＵＴＲＡＮ間の接続が設定されるとき、ＳＲＮＣ(Serving RNC)によって割り当てられる。
【００２６】
Ｄ−ＲＮＴＩ(Drift RNC RNTI)は、端末の移動によるＲＮＣ間ハンドオーバーが発生すると、ＤＲＮＣ(Drift RNC)によって割り当てられる。
【００２７】
Ｃ−ＲＮＴＩ(Cell RNTI)は、ＣＲＮＣ(Controlling RNC)内で端末を識別し得る情報であり、端末が新しいセルに入ると、ＣＲＮＣから新しいＣ−ＲＮＴＩ値が割り当てられる。
【００２８】
最後に、Ｕ-ＲＮＴＩ(UTRAN RNTI)は、ＳＲＮＣ Ｉｄｅｎｔｉｔｙ及びＳ−ＲＮＴＩから構成され、前記Ｕ-ＲＮＴＩから端末を管理しているＳＲＮＣ及び該当ＳＲＮＣ内における端末の識別情報が分かるため、ＳＲＮＣは、端末の絶対的な識別情報を提供すると言える。
【００２９】
共通伝送チャネルを使用してデータを伝送するとき、ＭＡＣ−ｃ／ｓｈ階層は、ＭＡＣ ＰＤＵのヘッダーにＣ−ＲＮＴＩまたはＵ-ＲＮＴＩを含めて伝送する。このとき、ＭＡＣ ＰＤＵのヘッダーは、前記含まれたＲＮＴＩの種類を知らせる端末識別子種類指示子(UE ID Type Indicator)も共に含む。
【００３０】
一般的に、セルから１つ以上の物理チャネルＳ−ＣＣＰＣＨ(Secondary common control physical channel)が提供されることができるので、伝送チャネルＦＡＣＨ(Forward access channel)またはＰＣＨ(Paging channel)を受信しようとする場合、端末はまずマッピングされるＳ−ＣＣＰＣＨチャネルを選択する。このとき、端末は、Ｕ-ＲＮＴＩを利用して自分が受信するＳ−ＣＣＰＣＨチャネルを選択する。
【００３１】
従来のＲＮＴＩは、点対点(Point-to-Point)無線サービスでのみ使用されたので、１つの端末のみを識別する役割を遂行する。従って、端末は、下向共通チャネルを通じてデータを受信するとき、ＭＡＣ ＰＤＵのヘッダーに含まれたＲＮＴＩが自分に割り当てられたＲＮＴＩと同一であるか否かを把握した後、同一のＲＮＴＩを含んだデータのみを上位階層に伝達する。
【００３２】
しかしながら、無線上で点対多(Point-to-Multipoint)無線サービスを使用して複数の端末、即ち、端末グループにデータを伝送するＭＢＭＳの場合は、従来のＲＮＴＩが使用されることができない。
【００３３】
従来のＲＮＴＩがＭＢＭＳのための共通伝送チャネルに使用される場合は、ＭＡＣ ＰＤＵのヘッダーに該当データを受信しようとする複数の端末のＲＮＴＩが全て含まれるべきである。この場合、端末の数だけＲＮＴＩがＭＡＣ ＰＤＵヘッダーに含まれるので、ヘッダーがあまり大きくなる短所がある。
【００３４】
このような理由で、従来のＣＢＳサービスの場合、点対多無線サービスを提供するために、ＭＡＣ ＰＤＵヘッダーにいずれのＲＮＴＩも含めなかった。代わりに、ＣＢＳサービスでは、ＢＭＣ階層でＢＭＣメッセージにメッセージ識別子(Message ID)が含まれる。しかしながら、この場合、端末のＭＡＣ階層は、受信したデータが自分に属するか否かが分からないため、共通伝送チャネルを通じて受信された全てのデータを上位のＲＬＣ及びＢＭＣ階層に伝達しなければならないという短所がある。
【００３５】
また、従来の技術で、使用者は、先に受信することを所望するメッセージ識別子情報をＢＭＣ階層に知らせる。従って、端末は、受信したＢＭＣメッセージのメッセージ識別子が使用者によって選択されたメッセージ識別子と一致する場合のみに、上位階層に該当ＢＭＣメッセージを伝達する。しかしながら、このような従来の方式では、特定メッセージデータの情報保護が保障されない。即ち、全体メッセージ識別子が全ての使用者に知られるため、特定メッセージデータが特定使用者グループにのみ受信されるか、または、特定メッセージデータが損傷または歪曲されることを防止し得ないという短所がある。
【発明の開示】
【発明が解決しようとする課題】
【００３６】
本発明の目的は、ＭＢＭＳサービスに適合したＭＢＭＳ ＲＮＴＩを提供する無線移動通信システムにおけるマルチメディアサービス方法を提供することにある。   
【００３７】
本発明の他の目的は、ＭＡＣによって特定データのみを上位階層に伝達できる無線移動通信システムにおけるマルチメディアサービス方法を提供することにある。
【００３８】
本発明のまた他の目的は、ＲＮＴＩを通じて無線資源、構成及び制御情報を割り当てることができる無線移動通信システムにおけるマルチメディアサービス方法を提供することにある。
【課題を解決するための手段】
【００３９】
このような目的を達成するために、複数の端末にＭＢＭＳ(Multimedia Broadcast/Multicast Service)を提供する無線通信システムにおいて、マルチメディアサービス提供方法は、特定ＭＢＭＳサービスのための識別子を生成する段階と、前記生成された識別子を全てのＭＢＭＳプロトコルデータユニットに含める段階と、前記ＭＢＭＳプロトコルデータユニットを端末に伝送する段階と、を含む。
【００４０】
望ましくは、前記識別子は、ＭＢＭＳ無線ネットワーク臨時識別子(ＲＮＴＩ)であることを特徴とする。
【００４１】
望ましくは、前記識別子は、無線資源制御(ＲＲＣ)階層で生成されることを特徴とする。
【００４２】
望ましくは、前記ＲＲＣ階層は、無線接続ベアラーが設定されるときに識別子を生成し、無線接続ベアラーが解除されるときに識別子を廃棄することを特徴とする。
【００４３】
望ましくは、前記識別子は、特定ＭＢＭＳサービスまたはマルチキャストグループを指示することを特徴とする。
【００４４】
望ましくは、前記特定ＭＢＭＳサービスは、放送サービスまたはマルチキャストサービスであることを特徴とする。
【００４５】
望ましくは、前記識別子は、ＭＢＭＳプロトコルデータユニットのヘッダーに含まれることを特徴とする。
【００４６】
望ましくは、前記ＭＢＭＳプロトコルデータユニットは、ＭＡＣプロトコルデータユニットであり、前記ヘッダーは、ＭＡＣプロトコルデータユニットのヘッダーであることを特徴とする。
【００４７】
望ましくは、前記ＭＢＭＳプロトコルデータユニットは、識別子の種類を示す指示子であることを特徴とする。
【００４８】
このような目的を達成するために、複数の端末から構成された端末グループにＭＢＭＳを提供する無線通信システムにおいて、マルチメディアサービス提供方法は、ＭＢＭＳサービスのための識別子を生成して端末グループに割り当てる段階と、ＭＢＭＳ ＰＤＵにＭＢＭＳ識別子を含めて端末グループに伝送する段階と、各端末によって前記伝送されたＭＢＭＳ ＰＤＵに含まれたＭＢＭＳ識別子と前記割り当てられたＭＢＭＳ識別子を比較し、前記ＭＢＭＳ ＰＤＵを受信する段階と、から構成されることを特徴とするマルチメディアサービス方法。
【００４９】
望ましくは、前記ＭＢＭＳ識別子は、ＭＢＭＳ無線ネットワーク臨時識別子(ＲＮＴＩ)であることを特徴とする。
【００５０】
望ましくは、前記ＭＢＭＳ識別子は、ＵＴＲＡＮの無線資源制御(ＲＲＣ)階層によって生成されることを特徴とする。
【００５１】
望ましくは、前記ＲＲＣ階層は、無線接続ベアラーが設定されるときに識別子を生成し、無線接続ベアラーが解除されるときに識別子を廃棄することを特徴とする。
【００５２】
望ましくは、前記ＭＢＭＳ識別子は、ＵＴＲＡＮのＲＲＣ階層によって割り当てられることを特徴とする。
【００５３】
望ましくは、前記ＭＢＭＳ識別子は、ＲＲＣメッセージを通じて端末グループに割り当てられることを特徴とする。
【００５４】
望ましくは、前記ＭＢＭＳ識別子は、ＭＢＭＳ ＰＤＵのヘッダーに含まれることを特徴とする。
【００５５】
望ましくは、前記ＭＢＭＳ ＰＤＵはＭＡＣ ＰＤＵであり、前記ヘッダーはＭＡＣ ＰＤＵのヘッダーであることを特徴とする。
【００５６】
望ましくは、前記ＭＢＭＳ ＰＤＵは、識別子の種類を示す識別子種類指示子を含むことを特徴とする。
【００５７】
望ましくは、前記識別子種類指示子は、ＭＢＭＳ ＰＤＵのヘッダーに含まれることを特徴とする。
【００５８】
望ましくは、前記ＭＢＭＳ ＰＤＵはＭＡＣ ＰＤＵであり、前記ヘッダーはＭＡＣ ＰＤＵのヘッダーであることを特徴とする。
【００５９】
このような目的を達成するために、本発明によるＵＭＴＳのマルチメディアサービス提供方法において、前記ＭＢＭＳ ＰＤＵの受信段階は、ＭＢＭＳ識別子がＭＢＭＳ ＰＤＵに含まれているか否かをチェックする段階と、ＭＢＭＳ識別子がＭＢＭＳ ＰＤＵに含まれていると、ＭＢＭＳ ＰＤＵに含まれたＭＢＭＳ識別子が以前に割り当てられたＭＢＭＳ識別子と同一であるか否かをチェックする段階と、前記２つの識別子が同一であると、ＭＢＭＳ ＰＤＵからヘッダーを除去する段階と、ヘッダーが除去されたＭＢＭＳ ＰＤＵを端末の上位階層に伝達する段階と、から構成されることを特徴とする。
【００６０】
望ましくは、前記端末は、ＭＢＭＳ ＰＤＵの識別子種類指示子がＭＢＭＳ識別子を示すか否かをチェックし、ＭＢＭＳ識別子がＭＢＭＳ ＰＤＵに含まれているか否かをチェックすることを特徴とする。
【００６１】
望ましくは、前記識別子種類指示子は、ＭＢＭＳ ＰＤＵに含まれた識別子の種類を示すことを特徴とする。
【００６２】
望ましくは、前記端末は、前記２つの識別子が同一でない場合、前記受信されたＭＢＭＳ ＰＤＵを廃棄することを特徴とする。
【００６３】
本発明によるＵＭＴＳのマルチメディアサービス提供方法は、前記受信されたＭＢＭＳ ＰＤＵにフィードバック情報を構成する段階と、各端末によってＭＢＭＳ識別子をＭＢＭＳ ＰＤＵのフィードバック情報に含めてＵＴＲＡＮに伝送する段階と、をさらに含むことを特徴とする。
【００６４】
このような目的を達成するために、複数の端末から構成された端末グループにＭＢＭＳを提供するＵＭＴＳにおいて、マルチメディアサービス提供方法は、複数の物理チャネル情報を端末グループに伝送する段階と、ＭＢＭＳデータを受信する端末にＭＢＭＳ識別子を割り当てる段階と、複数の物理チャネル情報からＭＢＭＳ識別子が指示する特定物理チャネルの情報を獲得し、前記ＭＢＭＳデータを受信する段階と、から構成される。
【００６５】
望ましくは、前記ＭＢＭＳ識別子は、ＭＢＭＳ無線ネットワーク臨時識別子(ＲＮＴＩ)であることを特徴とする。
【００６６】
望ましくは、前記ＭＢＭＳ識別子は、複数の物理チャネル情報に含まれた特定物理チャネルの番号を指示することによって特定物理チャネルを示すことを特徴とする。
【００６７】
望ましくは、前記物理チャネルは、ＭＢＭＳデータを伝送するＳ−ＣＣＰＣＨ(Secondary common control physical channel)であることを特徴とする。
【００６８】
望ましくは、前記物理チャネルの情報は、ＭＢＭＳデータを伝送する複数チャネルのリストと、及び物理チャネルのチャネルコード、スクランブリングコード、伝送されるデータの大きさ、データが伝送される時間間隔、チャネルコーディング、及び該当物理チャネルにマッピングされる伝送チャネル及び論理チャネルの種類を示すパラメーターとであることを特徴とする。
【００６９】
本発明によるＵＭＴＳのマルチメディアサービス提供方法において、前記ＭＢＭＳデータの受信段階は、複数の物理チャネル情報に含まれた複数の物理チャネル中からＭＢＭＳ識別子によって指示された特定物理チャネル情報を選択する段階と、複数の物理チャネル情報から前記選択された物理チャネルの情報を獲得する段階と、各端末によって前記選択された物理チャネルを設定する段階と、前記選択された物理チャネルを通じてＭＢＭＳデータを受信する段階と、から構成されたることを特徴とする。
【発明の効果】
【００７０】
本発明のＵＭＴＳマルチメディアサービス提供方法は、以下のような利点を有する。
【００７１】
本発明は、ＵＴＲＡＮがＭＢＭＳサービスを提供する場合、ＭＢＭＳ ＲＮＴＩを使用してＵＴＲＡＮと端末間またはＵＴＲＡＮ内のノード間にＭＢＭＳサービス関連情報を交換することにより、ＭＢＭＳデータを受信する使用者グループまたは特定ＭＢＭＳサービスのデータを識別する。
【００７２】
さらに、点対多(Point-to-Multipoint)無線サービスを使用することによって、複数の端末、即ち、端末グループにデータを伝送するとき、前記データを受信する特定グループを識別することができる。従って、ＭＡＣ階層から該当端末に該当するＭＢＭＳデータのみを上位階層に伝達することができる。
【００７３】
また、ＭＢＭＳ ＲＮＴＩは、１つの識別情報によって複数端末を示すために、従来技術のＲＮＴＩを使用するときに比べてヘッダーの長さを減らすことができる。
【００７４】
さらに、本発明は、ＵＴＲＡＮ内で臨時に割り当てる識別子(ＲＮＴＩ)を使用することによって、固定的なメッセージ識別子を使用するときに比べてＭＢＭＳデータの情報保護効果を有する。
【００７５】
また、本発明は、ＭＢＭＳ ＲＮＴＩが特定無線資源を指示するので、別途の割り当て制御メッセージがなくても自動的に複数の端末に無線資源を割り当てることができる。従って、ＭＢＭＳデータ伝送のスケジュールリングの複雑性を減らすという効果を有する。
【発明を実施するための最良の形態】
【００７６】
本発明は、３ＧＰＰによって開発されたＵＭＴＳ(universal mobile telecommunications system)のような移動通信システムにおいて具現される。しかしながら、本発明は、他の標準によって動作する通信システムにも適用できる。以下、本発明の実施形態を詳細に説明する。
【００７７】
本発明は、ＵＴＲＡＮがＭＢＭＳサービスを提供する場合、ＵＴＲＡＮと端末との間またはＵＴＲＡＮ内のノード間にＭＢＭＳサービス関連 情報を交換するときに使用されるＭＢＭＳ無線ネットワーク臨時識別子(MBMS Radio Network Temporary Identifier: ＭＢＭＳ ＲＮＴＩ)を提案する。望ましく、前記ＭＢＭＳ ＲＮＴＩは、特定ＭＢＭＳサービスまたはマルチキャストグループに対する識別子の役割を遂行する。
ＭＢＭＳ ＲＮＴＩの特性
ＭＢＭＳ ＲＮＴＩは、無線プロトコルの使用者平面に伝達されるＭＢＭＳデータのヘッダー情報に含まれる。望ましく、前記ＭＢＭＳ ＲＮＴＩは、ＭＡＣヘッダーに含まれることができる。例えば、ＦＡＣＨ(Forward Access Channel)またはＤＳＣＨ(Downlink Shared Channel)のような下向共通伝送チャネルを通じてＭＢＭＳデータが端末に伝達される場合、ＭＢＭＳの責任を負っているＭＡＣ階層が、前記受信されたＭＢＭＳデータが自分に属するデータであるか否かを把握し得るようにＭＢＭＳ ＲＮＴＩがＭＡＣヘッダーに含まれる。 
【００７８】
ブロードキャストモード及びマルチキャストモードにおいて、ＭＢＭＳ ＲＮＴＩは、１つの無線ネットワークサブシステム(Radio Network Sub-systems: ＲＮＳ)において提供される特定マルチキャストサービスを示す識別子として使用される。
【００７９】
マルチキャストモードで、ＭＢＭＳ ＲＮＴＩは、さらに、１つのＲＮＳにおいて特定マルチキャストサービスを受信する使用者のグループを示す指示子として使用される。即ち、ＭＢＭＳ ＲＮＴＩは、マルチキャストグループに属する使用者のうち特定ＲＮＳからサービスを受ける使用者の集合を指示する識別子に該当する。
【００８０】
ＭＢＭＳ ＲＮＴＩは、ＭＢＭＳサービスのためのＭＢＭＳ ＲＡＢが設定されるとき、ＵＴＲＡＮによって生成され、ＭＢＭＳ ＲＡＢが解除されるとき、ＵＴＲＡＮによって廃棄される。ここで、ＭＢＭＳ ＲＡＢは、特定ＭＢＭＳサービスのために設定された無線接続ベアラー(Radio Access Bearer)を意味する。前記ＭＢＭＳ ＲＮＴＩは、ＣＲＮＣ(Control RNC)によって管理され、任意のＭＢＭＳ ＲＮＴＩは、該当ＣＲＮＣにおいてただ特定ＭＢＭＳサービスを区別するために使われる。
【００８１】
ＭＢＭＳ ＲＮＴＩは、ＭＢＭＳデータを送信するとき、該当データのＭＡＣヘッダーに含まれる。このためにＵＴＲＡＮのＲＲＣ階層は、ＵＴＲＡＮにおいてＭＢＭＳの責任を負っているＭＡＣサブ階層であるＵＴＲＡＮのＭＡＣ−ｃ／ｓｈサブ階層に特定ＭＢＭＳサービスのためのＭＢＭＳ ＲＮＴＩ値を知らせる。また、ＵＴＲＡＮのＲＲＣ階層は、ＲＲＣメッセージを利用して端末のＲＲＣ階層に前記ＭＢＭＳ ＲＮＴＩ値を知らせる。このとき、特定ＭＢＭＳサービスを受信しようとする複数の端末のＲＲＣ階層は、全てＵＴＲＡＮのＲＲＣ階層から同一のＭＢＭＳ ＲＮＴＩ値を受信する。
【００８２】
以後、特定ＭＢＭＳサービスを受信しようとする各端末のＲＲＣ階層は、端末においてＭＢＭＳの責任を負っているＭＡＣサブ階層であるＭＡＣ−ｃ／ｓｈサブ階層に前記受信されたＭＢＭＳ ＲＮＴＩ値を知らせる。
【００８３】
ＵＴＲＡＮのＭＡＣ−ｃ／ｓｈサブ階層は、ＵＴＲＡＮのＲＲＣ階層から伝達されたＭＢＭＳ ＲＮＴＩ値を貯蔵する。以後、ＵＴＲＡＮのＭＡＣ−ｃ／ｓｈサブ階層は、該当ＭＢＭＳサービスに対するＭＡＣ ＰＤＵのヘッダーに前記貯蔵されたＭＢＭＳ ＲＮＴＩ値を含める。このとき、ＭＡＣ ＰＤＵのヘッダーにはＲＮＴＩの種類がＭＢＭＳ ＲＮＴＩであることを示す識別子種類指示子も共に含まれる。識別子種類指示子は、該当ＭＡＣ ＰＤＵにＲＮＴＩが含まれる場合、どういう種類のＲＮＴＩが含まれるかを知らせる。
【００８４】
端末のＭＡＣ−ｃ／ｓｈサブ階層は、端末のＲＲＣ階層から伝達されたＭＢＭＳ ＲＮＴＩ値を貯蔵する。以後、ＭＡＣ ＰＤＵが受信されると、端末のＭＡＣ−ｃ／ｓｈサブ階層は、受信されたＭＡＣ ＰＤＵのヘッダーに端末識別子種類指示子が含まれた場合、該当端末識別子種類指示子が何を指示するかを把握する。端末識別子種類指示子がＭＢＭＳ ＲＮＴＩを指示すると、端末のＭＡＣ−ｃ／ｓｈサブ階層は自分が貯蔵していたＭＢＭＳ ＲＮＴＩと受信されたＭＡＣ ＰＤＵのヘッダーに含まれたＭＢＭＳ ＲＮＴＩを比較する。前記比較結果、前記２つのＭＢＭＳ ＲＮＴＩ値が同一である場合、端末のＭＡＣ−ｃ／ｓｈサブ階層は、該当データ(ＭＡＣ ＰＤＵ)を端末の上位階層に伝達する。
【００８５】
ＭＢＭＳ ＲＮＴＩの生成／割り当て／廃棄過程
次の過程は、放送及びマルチキャストモード両方ともに同一に適用される。
【００８６】
図３は、任意のＭＢＭＳサービスのためにＭＢＭＳ ＲＡＢが生成されるとき、ＵＴＲＡＮにおいてＭＢＭＳ ＲＮＴＩを生成する過程を示す
図３に示すように、任意のＭＢＭＳサービスのためにＭＢＭＳ ＲＡＢが生成される場合、ＵＴＲＡＮ ＲＲＣは、該当ＭＢＭＳサービスに対するＭＢＭＳ ＲＮＴＩを生成してＵＴＲＡＮ ＭＡＣ−ｃ／ｓｈに伝達し(Ｓ１、Ｓ２)、ＵＴＲＡＮ ＭＡＣ−ｃ／ｓｈは、前記伝達されたＭＢＭＳ ＲＮＴＩを貯蔵する。
【００８７】
図４は、ＭＢＭＳ ＲＡＢ及びＭＢＭＳ ＲＮＴＩが生成された後、該当ＭＢＭＳサービスを受信する端末にＭＢＭＳ ＲＮＴＩを割り当てる過程を示す。
【００８８】
図４に示すように、ＵＴＲＡＮ ＲＲＣは、ＲＲＣメッセージを通じて端末ＲＲＣに該当ＭＢＭＳサービスに対するＭＢＭＳ ＲＮＴＩを伝達し(Ｓ４)、端末ＲＲＣは、端末ＭＡＣ−ｃ／ｓｈに前記ＭＢＭＳ ＲＮＴＩをまた伝達する(Ｓ５)。従って、端末ＭＡＣ−ｃ／ｓｈは、前記伝達されたＭＢＭＳ ＲＮＴＩを貯蔵し(Ｓ６)、端末ＲＲＣは、ＲＲＣメッセージを通じてＵＴＲＡＮ ＲＲＣに前記ＭＢＭＳ ＲＮＴＩ割り当てを完了したことを知らせる。以後、端末は、該当ＭＢＭＳサービスに対するＭＢＭＳデータを受信することができる。
【００８９】
図５は、ＭＢＭＳ ＲＮＴＩが割り当てられた端末が該当ＭＢＭＳサービスのデータを受信する過程を示す。
【００９０】
図５に示すように、上位階層から該当ＭＢＭＳサービスに対するデータが受信されると、ＵＴＲＡＮ ＭＡＣ−ｃ／ｓｈは、該当ＭＡＣ ＰＤＵのヘッダーに識別子種類指示子及び前記保存されたＭＢＭＳ ＲＮＴＩを含む。このとき、識別子種類指示子は、含まれたＲＮＴＩの種類がＭＢＭＳ ＲＮＴＩであることを示す(Ｓ１０)。ＵＴＲＡＮ ＭＡＣ−ｃ／ｓｈは、下位階層のサービスを利用して端末ＭＡＣ−ｃ／ｓｈにＭＡＣ ＰＤＵ(ＭＢＭＳデータ)を伝送する(Ｓ１１)。
【００９１】
ＵＴＲＡＮ ＭＡＣ−ｃ／ｓｈからＭＡＣ ＰＤＵが受信されると、端末ＭＡＣ−ｃ／ｓｈは、受信したＭＡＣ ＰＤＵヘッダーに含まれた識別子種類指示子がＭＢＭＳ ＲＮＴＩを指示しているか否かをチェックし、識別子種類指示子がＭＢＭＳ ＲＮＴＩを指示する場合は、受信したＭＡＣ ＰＤＵのＭＢＭＳ ＲＮＴＩと前記貯蔵されたＭＢＭＳ ＲＮＴＩを比較する(Ｓ１２)。前記比較結果、２つのＲＮＴＩ値が同一である場合、端末ＭＡＣ−ｃ／ｓｈは、受信したＭＢＭＳデータを上位階層に伝達する(Ｓ１３)。
【００９２】
図６は、端末に割り当てられたＭＢＭＳ ＲＮＴＩをＵＴＲＡＮが廃棄する過程を示す。 
【００９３】
図６に示すように、ＵＴＲＡＮ ＲＲＣは、ＲＲＣメッセージを通じて端末ＲＲＣに該当ＭＢＭＳサービスに対するＭＢＭＳ ＲＮＴＩを廃棄することを要請(Request)し(Ｓ１４)、端末ＲＲＣは、端末ＭＡＣ−ｃ／ｓｈにまたＭＢＭＳ ＲＮＴＩの廃棄を要請する(Ｓ１５)。従って、端末ＭＡＣ−ｃ／ｓｈは、貯蔵されていたＭＢＭＳ ＲＮＴＩを廃棄し、端末ＲＲＣは、ＲＲＣメッセージを通じてＵＴＲＡＮ ＲＲＣにＭＢＭＳ ＲＮＴＩの廃棄要請を完了したことを知らせる(Ｓ１７)。以後、端末は、該当ＭＢＭＳサービスに対するＭＢＭＳデータを受信することができない。
【００９４】
図７は、任意のＭＢＭＳサービスに対するＭＢＭＳ ＲＡＢが廃棄されるとき、ＵＴＲＡＮにおいてＭＢＭＳ ＲＮＴＩを廃棄する過程を示す。該当ＭＢＭＳ ＲＮＴＩを貯蔵している１つ以上の端末がある場合、ＵＴＲＡＮは、図７の過程を図８の過程と共に進行することができる。
【００９５】
図７に示すように、ＭＢＭＳサービスのためにＭＢＭＳ ＲＡＢが解除される場合、ＵＴＲＡＮ ＲＲＣは、該当ＭＢＭＳサービスに対するＭＢＭＳ ＲＮＴＩの廃棄を決定する(Ｓ２０)。ＵＴＲＡＮ ＲＲＣは、ＵＴＲＡＮ ＭＡＣ−ｃ／ｓｈに該当ＭＢＭＳサービスに対するＭＢＭＳ ＲＮＴＩの廃棄を要請し(Ｓ２１)、ＵＴＲＡＮ ＭＡＣ−ｃ／ｓｈは、該当ＭＢＭＳ ＲＮＴＩを廃棄する。
【００９６】
ＭＢＭＳ ＲＮＴＩを通した無線資源割り当て
ＭＢＭＳ ＲＮＴＩは、特定ＭＢＭＳサービスに使用される無線資源を指示する機能を遂行する。ＵＴＲＡＮ ＲＲＣは、放送チャネル(Broadcast channel: ＢＣＨ)のシステム情報を通じてチャネル情報を端末のＲＲＣに知らせる。ここで、チャネル情報とは、上記の該当セルにおいてサービスされる物理チャネルの番号、各物理チャネルのチャネルコード、スクランブルリングコード、伝送されるデータの大きさ、データが伝送される時間間隔、チャネルコーディング、該当物理チャネルにマッピングされる伝送チャネル及び論理チャネルの種類などのパラメータである。
【００９７】
本発明では、特定ＭＢＭＳ ＲＮＴＩが特定ＭＢＭＳサービスのデータを伝送する物理チャネルの番号を指示するようにする。このようにすることにより、ＭＢＭＳ ＲＮＴＩを割り当てる度にＵＴＲＡＮが該当端末にＭＢＭＳデータ伝送のためのチャネル情報を伝送する必要がないという長所がある。
【００９８】
詳述すると、ＭＢＭＳサービスが伝送チャネルＦＡＣＨ(Forward Access Channel)及び物理チャネルＳ−ＣＣＰＣＨ(Secondary Common Control Channel)を通じて伝送される場合、ＵＴＲＡＮは、次の式１を通じて該当ＭＢＭＳサービスのデータを伝送するＳ−ＣＣＰＣＨチャネルを選択する。
【００９９】
Ｓ−ＣＣＰＣＨ番号 ＝ ＭＢＭＳ ＲＮＴＩ ｍｏｄｕｌｏ Ｋ ・・・・・ 式(１)
このとき、Ｋ値は、該当セルにおいてＭＢＭＳデータを伝送するＦＡＣＨチャネルがマッピングされるＳ−ＣＣＰＣＨの数に該当し、Ｓ−ＣＣＰＣＨ番号は、該当セルのシステム情報にあるＳ−ＣＣＰＣＨチャネルの目録順序に該当する。
【０１００】
端末は、ＢＣＨチャネルを通じて伝達されるシステム情報のＳ−ＣＣＰＣＨチャネル目録を通じてＳ−ＣＣＰＣＨ番号に該当するチャネル情報が分かる。従って、端末は、割り当てられたＭＢＭＳ ＲＮＴＩを上記の式１に代入してＳ−ＣＣＰＣＨ番号を計算し、計算されたＳ−ＣＣＰＣＨ番号に該当するＳ−ＣＣＰＣＨチャネル情報をシステム情報から選択することにより、ＵＴＲＡＮから伝送されるＭＢＭＳデータを受信するようになる。
【０１０１】
図８は、ＭＢＭＳ ＲＮＴＩ割り当てを通じて端末が該当ＭＢＭＳサービスのデータを受信する物理チャネルを選択する過程を示す。
【０１０２】
図８に示すように、ＵＴＲＡＮ ＲＲＣは、ＭＢＭＳデータ伝送のために下位階層を設定する(Ｓ２３)。即ち、ＵＴＲＡＮ ＲＲＣは、該当セルにおいてサービスされる物理チャネルＳ−ＣＣＰＣＨの番号、各物理チャネルのチャネルコード及びスクランブルリングコード、伝送されるデータの大きさ、データが伝送される時間間隔、チャネルコーディング、該当物理チャネルにマッピングされる伝送チャネル及び論理チャネルの種類などのパラメーターをＵＴＲＡＮ物理階層(Ｌ１)、ＭＡＣ、ＲＬＣ及びＰＤＣＰ階層(Ｌ２)が設定するようにする。この過程を通じて、ＭＢＭＳデータを伝送する物理チャネルＳ−ＣＣＰＣＨが設定される。
【０１０３】
ＵＴＲＡＮ ＲＲＣは、放送チャネル(ＢＣＨ)のシステム情報を通じてチャネル情報を端末のＲＲＣに知らせる(Ｓ２４)。ここで、チャネル情報とは、上記の該当セルにおいてサービスされる物理チャネル(Ｓ−ＣＣＰＣＨ)の番号、各物理チャネルのチャネルコード及びスクランブルリングコード、伝送されるデータの大きさ、データが伝送される時間間隔、チャネルコーディング、該当物理チャネルにマッピングされる伝送チャネル、論理チャネルの種類などのパラメーターを示す。
【０１０４】
端末ＲＲＣは、ＵＴＲＡＮ ＲＲＣから伝達された物理チャネル情報を貯蔵し(Ｓ２５)、ＵＴＲＡＮは、図５に示すＭＢＭＳ ＲＮＴＩ割り当て過程を通じて該当端末にＭＢＭＳ ＲＮＴＩを割り当てる(Ｓ２６)。
【０１０５】
端末ＲＲＣは、受信された物理チャネル情報からＭＢＭＳ ＲＮＴＩが指示する物理チャネル(Ｓ−ＣＣＰＣＨ)及びその物理チャネルにマッピングされた伝送チャネル及び論理チャネルの情報を獲得する(Ｓ２７)。即ち、端末ＲＲＣは、特定ＭＢＭＳサービスのデータを伝送する物理チャネル(Ｓ−ＣＣＰＣＨ)のチャネルコード及びスクランブルリングコード、伝送されるデータ大きさ、データが伝送される時間間隔、チャネルコーディング、該当物理チャネルにマッピングされる伝送チャネル及び論理チャネルの種類などのパラメーターを獲得する。
【０１０６】
端末ＲＲＣは、前記獲得されたチャネル情報を利用して端末の下位階層を設定する(Ｓ２８)。即ち、端末ＲＲＣは、獲得されたチャネル情報を利用して端末の物理階層(Ｌ１)、ＭＡＣ、ＲＬＣ及びＰＤＣＰ階層(Ｌ２)を設定する。この過程を通じて、該当ＭＢＭＳサービスデータを受信する物理チャネル(Ｓ−ＣＣＰＣＨ)が設定される。この後、端末は、ＭＢＭＳサービスデータを伝送チャネル(ＦＡＣＨ)を通じて受信することができる。
【０１０７】
ＭＢＭＳ ＲＮＴＩを利用した制御情報伝送
ＭＢＭＳにおいてＲＲＣ階層は、ＭＢＭＳ ＲＡＢがマッピングされる無線ベアラーの設定、再設定及び解除と関連して伝送チャネルと物理チャネルを制御する。
【０１０８】
このような設定／再設定／解除を制御するために、ＲＲＣメッセージがＲＮＣと端末間に相互交換される。このとき、ＭＢＭＳ ＲＮＴＩは、ＲＲＣメッセージを通じて該当端末に伝達できる。即ち、特定ＭＢＭＳサービスのためのＲＲＣメッセージには、該当ＭＢＭＳ ＲＮＴＩが挿入されて特定ＭＢＭＳサービスを識別するようにする。
【０１０９】
例えば、特定ＭＢＭＳサービスデータを受信した端末ＲＲＣがＵＴＲＡＮのＲＲＣにＭＢＭＳデータに対するフィードバック情報(例えば、ＭＢＭＳデータ受信の品質測定結果またはＭＢＭＳサービス使用課金情報)を伝達する場合、該当フィードバック情報を識別するために該当ＭＢＭＳサービスに対するＭＢＭＳ ＲＮＴＩがフィードバック情報に含まれる。即ち、フィードバック情報を伝送するＲＲＣメッセージに特定ＭＢＭＳ ＲＮＴＩが含まれる。
【図面の簡単な説明】
【０１１０】
【図１】一般的なＵＭＴＳシステムのネットワーク構造を示す図である。
【図２】３ＧＰＰ無線接続ネットワーク規格を基盤にした端末とＵＴＲＡＮ間の無線接続インターフェース(Radio Access Interface)プロトコルの構造を示す図である。
【図３】本発明によるマルチメディアサービス方法で、任意のＭＢＭＳサービスのためにＭＢＭＳ ＲＡＢが生成されるとき、ＵＴＲＡＮにおいてＭＢＭＳ ＲＮＴＩを生成する過程を示す信号フローチャートである。
【図４】本発明によるマルチメディアサービス方法で、ＭＢＭＳ ＲＡＢ及びＭＢＭＳ ＲＮＴＩが生成された後、該当ＭＢＭＳサービスを受信する端末にＭＢＭＳ ＲＮＴＩを割り当てる過程を示す信号フローチャートである。
【図５】本発明によるマルチメディアサービス方法で、ＭＢＭＳ ＲＮＴＩが割り当てられた端末が該当ＭＢＭＳサービスのデータを受信する過程を示す信号フローチャートである。
【図６】本発明によるマルチメディアサービス方法で、端末に割り当てられたＭＢＭＳ ＲＮＴＩがＵＴＲＡＮによって廃棄される過程を示す信号フローチャートである。
【図７】本発明によるマルチメディアサービス方法で、任意のＭＢＭＳサービスに対するＭＢＭＳ ＲＡＢが廃棄されるとき、ＵＴＲＡＮによってＭＢＭＳ ＲＮＴＩが廃棄される過程を示す信号フローチャートである。
【図８】本発明によるマルチメディアサービス方法で、ＭＢＭＳ ＲＮＴＩの割り当てを通じて端末が該当ＭＢＭＳサービスのデータを受信する物理チャネルを選択する過程を示す信号フローチャートである。
【図１】
2005530451.tif 000003
【図２】
2005530451.tif 000004
【図３】
2005530451.tif 000005
【図４】
2005530451.tif 000006
【図５】
2005530451.tif 000007
【図６】
2005530451.tif 000008
【図７】
2005530451.tif 000009
【図８】
2005530451.tif 000010
【国際調査報告】
2005530451.tif 000011
2005530451.tif 000012